(57)【要約】【課題】電磁波を遮断することができるプラズマライティングバルブを提供する。【解決手段】プラズマライティングバルブは、光を発生するものであって、透明体（ガラスまたはプラスチック）からなり、表面には所定の深さの溝（バルブの外面、内面のうち、少なくとも何れか一つの表面に形成され、半円形、V形、多角形のうちいずれかの形、例えば六角形）のパターンが形成され、この溝領域に金属物質（銅、アルミニウム、銀が被覆された銅のうち、いずれか一つ）が形成される。導線や、金属物質で溝内を満たすこともできる。【選択図】図１
2004288639.tif 000002
【特許請求の範囲】
【請求項１】
光を発生するものであって、透明体からなり、表面には所定の深さの溝が形成されるバルブと、
前記溝領域に形成される金属物質を含んでいることを特徴とするプラズマライティングバルブ。
【請求項２】
前記透明体は、ガラス又はプラスチックであることを特徴とする請求項１に記載のプラズマライティングバルブ。
【請求項３】
前記バルブの表面は、円形、三角形、多角形のうち、いずれか一つのパターンで前記溝の配列を形成することを特徴とする請求項１に記載のプラズマライティングバルブ。
【請求項４】
前記溝は、前記バルブの外面、内面のうち、少なくともいずれか一つの表面に形成されることを特徴とする請求項１に記載のプラズマライティングバルブ。
【請求項５】
前記溝の断面は、半円形、Ｖ形、多角形のうち、いずれか一つの形状であることを特徴とする請求項１に記載のプラズマライティングバルブ。
【請求項６】
前記金属物質は、前記溝に沿って形成される導線であることを特徴とする請求項１に記載のプラズマライティングバルブ。
【請求項７】
前記金属物質は、前記溝内に満たされていることを特徴とする請求項１に記載のプラズマライティングバルブ。
【請求項８】
前記金属物質は、銅、アルミニウム、銀が被覆された銅のうち、いずれか一つであることを特徴とする請求項１に記載のプラズマライティングバルブ。
【請求項９】
光を発生するものであって、透明体からなり、所定の深さを有する溝の配列によって所定のパターンが表面に形成されるバルブと、
前記パターンを成す溝に形成される金属導線と、
からなることを特徴とするプラズマライティングバルブ。
【請求項１０】
前記透明体は、ガラス又はプラスチックであることを特徴とする請求項９に記載のプラズマライティングバルブ。
【請求項１１】
前記バルブの表面に形成されるパターンは、円形、三角形、多角形のうち、何れか一つであることを特徴とする請求項９に記載のプラズマライティングバルブ。
【請求項１２】
前記パターンは、前記バルブの外面、内面のうち、少なくとも何れか一つの表面に形成されることを特徴とする請求項９に記載のプラズマライティングバルブ。
【請求項１３】
前記パターンを成す溝の断面は、半円形、V形、多角形のうち、何れか一つであることを特徴とする請求項９に記載のプラズマライティングバルブ。
【請求項１４】
前記金属導線は、銅、アルミニウム、銀が被覆された銅のうち、何れか一つであることを特徴とする請求項９に記載のプラズマライティングバルブ。
【請求項１５】
光を発生するものであって、透明体からなり、所定の深さを有する溝の配列によって多数の六角形のパターンが外部表面に形成されるバルブと、
前記パターンを成す溝に沿って形成され、電磁波を遮断する金属導線とからなることを特徴とするプラズマライティングバルブ。
【請求項１６】
前記透明体は、ガラス又はプラスチックであることを特徴とする請求項１５に記載のプラズマライティングバルブ。
【請求項１７】
前記六角形パターンを成す溝の断面は、半円形、V形、多角形のうち、何れか一つであることを特徴とする請求項１５に記載のプラズマライティングバルブ。
【請求項１８】
前記金属導線は、銅、アルミニウム、銀が被覆された銅のうち、何れか一つであることを特徴とする請求項１５に記載のプラズマライティングバルブ。
【発明の詳細な説明】
【技術分野】
【０００１】
本発明は、プラズマライティングバルブに関するもので、特に、電磁波遮断のためのプラズマライティングバルブに関するものである。
ＰＬＳ(Plasma Lighting System)は、真空バルブ内にガスと点灯物質を封入した後、マイクロ波によってプラズマを形成しながら自然光に近い光を発する照明装置である。
【背景技術】
【０００２】
プラズマライティングシステムは、マイクロ波によって発光が行なわれるので、ライティングバルブに高周波の電磁波を加えなければならない。
しかし、このような電磁波は、空間的に広がる傾向があり、システムの周辺機器を外乱（電磁障害を発生）させるという問題を発生する。
従って、電磁波を遮断することができるプラズマライティングシステムが求められている。
【発明の開示】
【発明が解決しようとする課題】
【０００３】
本発明の目的は、このような問題を解決するためのもので、電磁波を遮断することができるプラズマライティングバルブを提供するものである。
【課題を解決するための手段】
【０００４】
本発明によるプラズマライティングバルブは、光を発生するものであって、透明体からなり、表面には所定の深さの溝(グルーブ)が形成され、この溝領域に形成される金属物質とからなる。
ここで、透明体は、ガラス又はプラスチックからなり、バルブの表面は溝の配列によって円形、三角形、多角形のうち、いずれか一つのパターンで形成されている。
【０００５】
そして、溝は、バルブの外面、内面のうち、少なくとも何れか一つの表面に形成され、溝の断面は、半円形、V形、多角形のうち、いずれかの形に形成することができる。
溝に沿って形成される導線や、金属物質で溝内を満たすこともできる。
そして、金属物質は、銅、アルミニウム、銀が被覆された銅のうち、いずれか一つである。
【０００６】
また、本発明は、光を発生するものであって透明体からなり、所定の深さを有する溝の配列によって所定のパターンが表面に形成されるバルブと、パターンを成す溝に形成される金属導線を含むこともできる。
【０００７】
本発明は、光を発生するものであって透明体からなり、所定の深さを有する溝の配列によって多数の六角形パターンが外部表面に形成されるバルブと、パターンを成す溝に沿って形成されて電磁波を遮断する金属導線とからなる。
本発明の他の目的、特徴及び利点は、添付した図面を参照し、実施例の詳細な説明により明らかになる。
【発明の効果】
【０００８】
本発明のプラズマライティングバルブによると、金属導線がバルブ表面に蜂の巣模様の六角形構造を配列したので、電磁波の遮断効果を高めることができる。
また、金属導線が配列されるバルブ領域に溝を形成するので、光の透過特性を向上させることができる。
さらに、バルブの輝度を維持しながらも金属導線の面積を広げることができるので、電磁波の遮断効果が非常に優秀である。
【発明を実施するための最良の形態】
【０００９】
本発明によるプラズマライティングバルブの望ましい実施形態に関して、添付した図面を参照して説明する。
本発明では、ライティングバルブから発生する電磁波を遮断するために金属物質を使用している。
この電磁波遮断用金属物質は、次のような条件を満足させることが望ましい。
第一に高い電磁波遮断率を有すること、第二にバルブから発生する光が透過できるように小さい表面領域を有すること、第三に長期にわたる耐久性を有すること、である。
【００１０】
本発明は、このような条件を満足させるためにプラズマライティングバルブの表面に溝を形成して, その溝内に金属物質を形成する構造としている。
図１は、本発明によるプラズマライティングバルブの表面を示す平面図及び断面拡大図である。
図１に示したように、本発明のプラズマライティングバルブは、光を発生するバルブ１１と、バルブの溝領域に形成される金属導線１２を含んでいる。
ここで、バルブ１１は、透明体からなり、その表面には所定の深さの溝が形成されている。
【００１１】
そして、透明体であるバルブ１１は、ガラス又はプラスチックなどで形成することができる。
バルブ１１の表面は、溝の配列によって円形、三角形、多角形のうち、何れか一つのパターンで形成することができる。
【００１２】
本発明では、図1に示したように、所定の深さを有する溝の配列によって多数の六角形パターンが外部表面に形成されている。
また、バルブ１１の表面に形成された溝は、バルブ１１の外面、内面のうち、少なくとも何れか一つの表面に形成されることもできる。
【００１３】
本発明では、図１に示したようにバルブ１１の外面に六角形パターンの溝を形成する。この時、溝の断面は、半円形、V形、多角形のうちいずれか一つの形に形成することができる。
そして、溝領域に形成される金属導線１２は、溝に沿って形成され、金属導線１２の代わりに金属物質で溝内を満たすこともできる。この時、形成される金属導線１２又は金属物質は、銅、アルミニウム、銀が被覆された銅のうち、いずれか一つである。
【００１４】
本発明は、金属導線を蜂の巣模様の六角形形態に配列したので、電磁波の遮断効果に優れている。
しかし、電磁波を遮断するための金属導線は、同時に放出される光を遮断することになるので、できるだけ多くの光が放出されるように、金属導線が配列される領域に所定の深さの溝が形成されている。
【００１５】
図２は、本発明によるプラズマライティングバルブから発生する光の屈折を示した図面である。
図２に示したように、溝の断面は半円形態で、金属導線１２方へ放出される光は半円形態の溝によって屈折されて(１３ａ、１３ｂ) バルブ１１の外部に放出される。
そのため、金属導線１２がバルブ１１の表面に形成されてもバルブ１１の輝度は減少しない。
そして、本発明は、バルブの輝度を維持しながらも金属導線１２の面積を広げることができるので、電磁波の遮断効果が非常に優秀である。
【００１６】
このような本発明によるプラズマライティングバルブには、次のような効果がある。
金属導線がバルブ表面に蜂の巣模様の六角形構造に配列されるので、電磁波の遮断効果を高めることができる。
また、金属導線が配列されるバルブ領域に溝を形成したので、バルブから放出される光が溝に沿って屈折して金属銅線の両側面から光が放出するので、光の透過特性を向上させることができる。
さらに、バルブの輝度を維持しながらも金属導線の面積を広げることができるので、電磁波の遮断効果が非常に優秀である。
以上、本発明の好適な一実施態様について説明したが、前記実施態様に限定されず、本発明の技術思想に基づいて種々の変形が可能である。
【図面の簡単な説明】
【００１７】
【図１】本発明によるプラズマライティングバルブの表面を示す平面図及び断面拡大図である。
【図２】本発明によるプラズマライティングバルブから発生する光の屈折を示す図面である。
【符号の説明】
【００１８】
１１ : バルブ                       １２ : 金属導線
１３ａ、１３ｂ : 光の屈折領域
【図１】
2004288639.tif 000003
【図２】
2004288639.tif 000004